(57)【特許請求の範囲】
【請求項１】
スキャナーまたは外部機器から画像データを入力し，入力した画像データに各種画像処理を施して出力する画像処理装置において，
前記入力した画像データが符号化された画像データである場合に，画像データを復号化する復号化手段と，
前記各種画像処理を施した後の画像データを符号化する符号化手段と，
前記入力した画像データが，紙幣・有価証券等の複写が禁止された特殊原稿であるか否かを判定する特殊原稿判定手段と，
前記符号化後の画像データに前記特殊原稿判定手段の判定結果を示す特殊原稿情報を付加する情報付加手段と，
を備え，
前記復号化手段は，前記入力した画像データが符号化された画像データで，かつ，前記特殊原稿情報が付加されていない場合には，正常な復号化を行なわないことを特徴とする画像処理装置。
【請求項２】
前記特殊原稿判定手段は，前記入力した画像データに対してあらたな画像処理が指定された場合，指定された画像処理を施した後の画像データを用いて，特殊原稿であるか否かの判定を行い，前記情報付加手段は，前記特殊原稿判定手段から出力される最新の判定結果に基づいて，前記情報を付加することを特徴とする請求項１記載の画像処理装置。
【請求項３】
スキャナーまたは外部機器から画像データを入力し，入力した画像データに各種画像処理を施して出力する画像処理装置において，あらかじめ暗証コードを記憶した記憶手段と，暗証コードを入力する入力手段と，前記入力した画像データと紙幣・有価証券等の複写が禁止された特殊原稿との類似度を算出し，前記類似度に基づいて，前記入力した画像データを，特殊原稿である，特殊原稿でない，何方とも言えないの３種類のいずれかに判定する特殊原稿判定手段と，前記暗証コードが入力されており，かつ，前記特殊原稿判定手段の判定結果が特殊原稿である場合に，画像処理動作の禁止または画像データの出力を禁止し，前記暗証コードが入力されておらず，かつ，前記特殊原稿判定手段の判定結果が特殊原稿である場合または何方ともいえないの状態が所定回数以上連続した場合に，画像処理動作の禁止または画像データの出力を禁止する禁止手段とを備えたことを特徴とする画像処理装置。
【請求項４】
スキャナーまたは外部機器から画像データを入力し，入力した画像データに各種画像処理を施して出力する画像処理装置において，あらかじめ使用者毎に設定された使用者コードを記憶した記憶手段と，使用者コードを入力する入力手段と，前記入力した画像データと紙幣・有価証券等の複写が禁止された特殊原稿との類似度を算出し，前記類似度に基づいて，前記入力した画像データを，特殊原稿である，特殊原稿でない，何方とも言えないの３種類のいずれかに判定する特殊原稿判定手段と，前記使用者コードが入力されており，かつ，前記特殊原稿判定手段の判定結果が特殊原稿である場合に，画像処理動作の禁止または画像データの出力を禁止し，前記使用者コードが入力されておらず，かつ，前記特殊原稿判定手段の判定結果が特殊原稿である場合または何方ともいえないの状態が所定回数以上連続した場合に，画像処理動作の禁止または画像データの出力を禁止する禁止手段とを備えたことを特徴とする画像処理装置。
【請求項５】
前記スキャナーは，原稿押さえ板および原稿押さえ板のロック機構を有し，前記禁止手段は，画像処理動作の禁止または画像データの出力を禁止すると共に，前記原稿押さえ板のロック機構をロックして原稿の取り出しを禁止することを特徴とする請求項３または４記載の画像処理装置。
【請求項６】
前記特殊原稿判定手段は，前記入力した画像データに対して，変倍・ミラーリング・斜体・色変換・ペイント等のように変形・加工を伴う画像処理が指定されている場合には，これらの画像処理を施した後の画像データを用いて，特殊原稿であるか否かの判定を行なうことを特徴とする請求項１乃至５のいずれか１つに記載の画像処理装置。
【発明の詳細な説明】
【０００１】
【産業上の利用分野】
本発明は，スキャナーまたは外部機器から画像データを入力し，入力した画像データに各種画像処理を施して出力する画像処理装置に関し，より詳細には，入力した画像データが，紙幣・有価証券等の複写が禁止された特殊原稿であるか否かを判定する機能を有した画像処理装置に関する。
【０００２】
【従来の技術】
近年，画像処理技術・画像形成技術の向上によって，カラー複写機で複写したコピー紙幣と実際の紙幣とが容易に区別できないほど精巧に画像形成が行えるようになっている。このため，紙幣，有価証券等の特殊原稿を判定し，特殊原稿の場合に違法複写を禁止するようにした装置が開発されている。
【０００３】
【発明が解決しようとする課題】
しかしながら，従来の技術によれば，特殊原稿と判定された場合に画像の出力を禁止する装置は提供されているが，直接記録紙にプリントアウトする出力でなければ，例えば，外部機器で処理する目的等の場合，特殊原稿となり得るという情報を付加することによって出力を許可する装置はなかった。
【０００４】
また，従来の技術によれば，入力した画像データに基づいて，特殊原稿であるか否かの判定を行なっているものの，入力後，変倍・ミラーリング・斜体・色変換・ペイント等のように特定の変形・加工を施すことにより，特殊原稿となったり，特殊原稿でなくなる場合に関しては，特に考慮されていなかった。
【０００５】
また，特殊原稿の認識の厳しさを，使用者管理，使用状況によって切り換えるものは提供されていなかった。
【０００６】
また，一般的に，所定の閾値と類似度との比較によって特殊原稿であるか否かの判定を行なっているため，設定した閾値の値によっては，特殊原稿と疑わしいが特殊原稿でないと判定されるが，このような類似した画像に関しては特殊原稿でないと判定して処理していた。
【０００７】
本発明は上記に鑑みてなされたものであって，外部機器で処理する目的等の場合，特殊原稿となり得るという情報を付加することによって出力を許可することを目的とする。
【０００８】
また，本発明は上記に鑑みてなされたものであって，変倍・ミラーリング・斜体・色変換・ペイント等のように特定の変形・加工を施すことにより，特殊原稿となったり，特殊原稿でなくなる場合を考慮して，特殊原稿であるか否かの判定を確実に行なうことを目的とする。
【０００９】
また，本発明は上記に鑑みてなされたものであって，特殊原稿の認識の厳しさを，使用者管理，使用状況によって切り換えることを目的とする。
【００１０】
また，本発明は上記に鑑みてなされたものであって，特殊原稿と判定できないが，特殊原稿であると疑わしい類似した画像についても，複写を禁止できるようにすることを目的とする。
【００１２】
【課題を解決するための手段】
上記の目的を達成するために，請求項１に係る画像処理装置は，スキャナーまたは外部機器から画像データを入力し，入力した画像データに各種画像処理を施して出力する画像処理装置において，前記入力した画像データが符号化された画像データである場合に，画像データを復号化する復号化手段と，前記各種画像処理を施した後の画像データを符号化する符号化手段と，前記入力した画像データが，紙幣・有価証券等の複写が禁止された特殊原稿であるか否かを判定する特殊原稿判定手段と，前記符号化後の画像データに前記特殊原稿判定手段の判定結果を示す特殊原稿情報を付加する情報付加手段と，を備え，前記復号化手段は，前記入力した画像データが符号化された画像データで，かつ，前記特殊原稿情報が付加されていない場合には，正常な復号化を行なわないものである。
【００１３】
また，請求項２に係る画像処理装置は，前記特殊原稿判定手段が，前記入力した画像データに対してあらたな画像処理が指定された場合，指定された画像処理を施した後の画像データを用いて，特殊原稿であるか否かの判定を行い，前記情報付加手段が，前記特殊原稿判定手段から出力される最新の判定結果に基づいて，前記情報を付加するものである。
【００１５】
また，請求項３に係る画像処理装置は，スキャナーまたは外部機器から画像データを入力し，入力した画像データに各種画像処理を施して出力する画像処理装置において，あらかじめ暗証コードを記憶した記憶手段と，暗証コードを入力する入力手段と，前記入力した画像データと紙幣・有価証券等の複写が禁止された特殊原稿との類似度を算出し，前記類似度に基づいて，前記入力した画像データを，特殊原稿である，特殊原稿でない，何方とも言えないの３種類のいずれかに判定する特殊原稿判定手段と，前記暗証コードが入力されており，かつ，前記特殊原稿判定手段の判定結果が特殊原稿である場合に，画像処理動作の禁止または画像データの出力を禁止し，前記暗証コードが入力されておらず，かつ，前記特殊原稿判定手段の判定結果が特殊原稿である場合または何方ともいえないの状態が所定回数以上連続した場合に，画像処理動作の禁止または画像データの出力を禁止する禁止手段とを備えたものである。
【００１６】
また，請求項４に係る画像処理装置は，スキャナーまたは外部機器から画像データを入力し，入力した画像データに各種画像処理を施して出力する画像処理装置において，あらかじめ使用者毎に設定された使用者コードを記憶した記憶手段と，使用者コードを入力する入力手段と，前記入力した画像データと紙幣・有価証券等の複写が禁止された特殊原稿との類似度を算出し，前記類似度に基づいて，前記入力した画像データを，特殊原稿である，特殊原稿でない，何方とも言えないの３種類のいずれかに判定する特殊原稿判定手段と，前記使用者コードが入力されており，かつ，前記特殊原稿判定手段の判定結果が特殊原稿である場合に，画像処理動作の禁止または画像データの出力を禁止し，前記使用者コードが入力されておらず，かつ，前記特殊原稿判定手段の判定結果が特殊原稿である場合または何方ともいえないの状態が所定回数以上連続した場合に，画像処理動作の禁止または画像データの出力を禁止する禁止手段とを備えたものである。
【００１７】
また，請求項５に係る画像処理装置は，前記スキャナーが，原稿押さえ板および原稿押さえ板のロック機構を有し，前記禁止手段が，画像処理動作の禁止または画像データの出力を禁止すると共に，前記原稿押さえ板のロック機構をロックして原稿の取り出しを禁止するものである。
【００２０】
また，請求項６に係る画像処理装置は，前記特殊原稿判定手段が，前記入力した画像データに対して，変倍・ミラーリング・斜体・色変換・ペイント等のように変形・加工を伴う画像処理が指定されている場合には，これらの画像処理を施した後の画像データを用いて，特殊原稿であるか否かの判定を行なうものである。
【００２２】
【作用】
本発明の画像処理装置（請求項１）は，特殊原稿判定手段によって，スキャナーまたは外部機器から入力した画像データが，紙幣・有価証券等の複写が禁止された特殊原稿であるか否かを判定すると，情報付加手段が，出力する画像データに特殊原稿判定手段の判定結果を示す特殊原稿情報を付加することにより，外部機器で処理する目的等の場合，特殊原稿となり得るという情報を付加することによって出力を許可する。また，復号化手段が，入力した画像データが符号化された画像データで，かつ，特殊原稿情報が付加されていない場合には，正常な復号化を行なわない。
【００２３】
また，本発明の画像処理装置（請求項２）は，入力した画像データに対してあらたな画像処理が指定された場合，特殊原稿判定手段において，指定された画像処理を施した後の画像データを用いて，特殊原稿であるか否かの判定を行い，情報付加手段が特殊原稿判定手段から出力される最新の判定結果に基づいて，情報を付加することにより，指定された画像処理によって特殊原稿となった場合でも判定結果が正確に付加される。
【００２５】
また，本発明の画像処理装置（請求項３）は，特殊原稿判定手段によって，入力した画像データと紙幣・有価証券等の複写が禁止された特殊原稿との類似度を算出し，該類似度に基づいて，入力した画像データを，特殊原稿である，特殊原稿でない，何方とも言えないの３種類のいずれかに判定すると，禁止手段が，暗証コードが入力されており，かつ，判定結果が特殊原稿である場合に，画像処理動作の禁止または画像データの出力を禁止し，また，暗証コードが入力されておらず，かつ，判定結果が特殊原稿である場合または何方ともいえないの状態が所定回数以上連続した場合に，画像処理動作の禁止または画像データの出力を禁止する。
【００２６】
また，本発明の画像処理装置（請求項４）は，特殊原稿判定手段によって，入力した画像データと紙幣・有価証券等の複写が禁止された特殊原稿との類似度を算出し，該類似度に基づいて，入力した画像データを，特殊原稿である，特殊原稿でない，何方とも言えないの３種類のいずれかに判定すると，禁止手段が，使用者コードが入力されており，かつ，判定結果が特殊原稿である場合に，画像処理動作の禁止または画像データの出力を禁止し，また，使用者コードが入力されておらず，かつ，判定結果が特殊原稿である場合または何方ともいえないの状態が所定回数以上連続した場合に，画像処理動作の禁止または画像データの出力を禁止する。
【００２７】
また，本発明の画像処理装置（請求項５）は，禁止手段が，画像処理動作の禁止または画像データの出力を禁止すると共に，原稿押さえ板のロック機構をロックして原稿の取り出しを禁止することにより，特殊原稿の偽造行為を回避させる。
【００３０】
また，本発明の画像処理装置（請求項６）は，入力した画像データに対して，変倍・ミラーリング・斜体・色変換・ペイント等のように変形・加工を伴う画像処理が指定されている場合には，特殊原稿判定手段がこれらの画像処理を施した後の画像データを用いて，特殊原稿であるか否かの判定を行なう。
【００３１】
【実施例】
以下，本発明を実現する画像処理装置として，外部インターフェイス付きのカラーデジタル複写機を実施例として図面を参照して詳細に説明する。
【００３２】
図１は，本実施例の外部インターフェイス付きのカラーデジタル複写機の構成図を示し，原稿の画像を光学的に読み取ってＡ／Ｄ変換（アナログ・デジタル変換）およびＭＴＦ補正等を行なった後，Ｒ，Ｇ，Ｂデータとして出力するスキャナー１０１と，外部機器から画像データを入力するための外部Ｉ／Ｆ（インターフェイス）１０２と，スキャナー１０１および外部Ｉ／Ｆ１０２からＲ，Ｇ，Ｂデータを入力して何れかを選択的に出力するセレクタ１０３と，セレクタ１０３からＲ，Ｇ，Ｂデータを入力して各種画像処理を施し，Ｙ，Ｍ，Ｃ，Ｋデータとして出力する画像処理部１０４と，画像処理部１０４から出力されたＹ，Ｍ，Ｃ，Ｋデータに基づいて記録紙に画像を形成するプリンター１０５と，画像処理部１０４から出力されたＹ，Ｍ，Ｃ，Ｋデータを外部機器へ出力するための外部Ｉ／Ｆ１０６と，画像処理部１０４から出力されたＹ，Ｍ，Ｃ，Ｋデータをプリンター１０５または外部Ｉ／Ｆ１０６の何れかに選択的に出力するセレクタ１０７と，各種キー入力およびメッセージの出力を行なうための操作部１０８と，上記各部を制御するシステムコントローラ１０９とを備えている。
【００３３】
なお，画像処理部１０４は，γ補正処理，Ｒ，Ｇ，Ｂ→Ｙ，Ｍ，Ｃ，Ｋ変換処理，階調処理，プリンタ用γ補正処理等のように出力する装置（ここでは，プリンター１０５）の特性や画像データの処理形態に合わせて入力した画像データを変換する画像処理機能と，変倍・ミラーリング・斜体・色変換・ペイント等のように指定された条件に基づいて入力した画像データを変形・加工する画像処理機能と，さらに，特殊原稿判定部１０４ａで示すように，入力した画像データが，紙幣・有価証券等の複写が禁止された特殊原稿であるか否かを判定する特殊原稿判定処理機能とを有している。
【００３４】
また，外部Ｉ／Ｆ１０２は，本発明の復号化手段に相当し，外部機器から入力した画像データを復号化する機能と，外部機器から入力した画像データから特殊原稿情報を読み取る機能を有している。
【００３５】
また，外部Ｉ／Ｆ１０６は，本発明の符号化手段および情報付加手段に相当し，出力する画像データを符号化する機能と，出力する画像データに特殊原稿判定部１０４ａの判定結果を示す特殊原稿情報を付加する機能とを有している。
【００３６】
また，操作部１０８は，上記各種キー入力を利用することによって，暗証コードの入力および使用者コードの入力が可能な構成である。
【００３７】
また，システムコントローラ１０９は，各部（各ユニット）の制御，外部Ｉ／Ｆ１０２および外部Ｉ／Ｆ１０６を介した通信制御を行なうと共に，暗証コード，使用者コードの記憶・保持およびチェックを行なう機能，特殊原稿判定部１０４ａの判定結果の計数およびチェックを行なう機能，特殊原稿判定部１０４ａによる判定日時・画像処理内容等の処理状況を記憶・保持する機能，および，特殊原稿判定部１０４ａの判定結果に基づいて画像データを記憶・保持する機能を有している。
【００３８】
以上の構成において，その動作を説明する。通常の複写処理の場合，すなわち，原稿の画像をスキャナー１０１で読み取って画像データを入力する場合，スキャナー１０１からの出力はＲ，Ｇ，Ｂデータであり，このＲ，Ｇ，Ｂデータが画像処理部１０４へ送られる。画像処理部１０４では，このＲ，Ｇ，Ｂデータを，γ補正処理により濃度データに変換し，次に，マスキング方程式を解くことでＹ，Ｍ，Ｃ，Ｋに変換し，さらにプリンタ特性に合わせるためにプリンタ用γ補正処理が施される。
【００３９】
ここで，プリンター１０５が，４組の作像ユニットを持つプリンターの場合，画像処理部１０４からＹ，Ｍ，Ｃ，Ｋデータを一度に入力して，記録紙上に一度にフルカラー画像が形成される。また，１組の作像ユニットを持つプリンターの場合には，画像処理部１０４で，Ｒ，Ｇ，ＢデータからＹ，Ｍ，Ｃ，Ｋデータを順次変換して出力し，記録紙上に画像形成を４回行なって順次色を重ねてフルカラー画像を形成する。すなわち，１組の作像ユニットを持つプリンターの場合には，Ｙ，Ｍ，Ｃ，Ｋのそれぞれを作像するためにスキャナー１０１で４回のスキャンが行なわれることになる。また，Ｙ，Ｍ，Ｃの３色でフルカラー画像を形成する場合には，３回のスキャンを行なう。
【００４０】
一方，外部Ｉ／Ｆ１０２，１０６を用いた場合には，スキャナー１０１の代わりに外部から外部Ｉ／Ｆ１０２を介して画像処理部１０４に画像データが送られたり，プリンター１０５に出力する代わりに外部Ｉ／Ｆ１０６を介して各種外部機器に画像データが出力される。
【００４１】
さて，画像処理部１０４で各種画像処理を施された画像データは，画像処理部１０４内の特殊原稿判定部１０４ａに送られ，紙幣・有価証券等の複写が禁止された特殊原稿であるか否かの判定を施される。先ず，特殊原稿判定部１０４ａは，処理された画像データと紙幣・有価証券等の複写が禁止された特殊原稿との類似度を算出し，該類似度に基づいて，対象となる画像データを，特殊原稿である（Ｔ），特殊原稿でない（Ｆ），何方とも言えない（Ｎ）の３値に分類する。
【００４２】
本実施例では，特殊原稿であるか否かの判定を類似度に基づいて行なう。例えば，類似度の算出が０％〜９９％の多値を取るように行なわれる場合，９０％以上を特殊原稿である（Ｔ）と判定し，６９％以下を特殊原稿でない（Ｆ）と判定し，９０％より小さく６９％より大きい場合を何方とも言えない（Ｎ）と判定する。
【００４３】
この判定結果（Ｔ，Ｆ，Ｎ）がシステムコントローラ１０９へ送られる。また，特殊原稿の判定に使用された画像データは，その後，セレクタ１０７を介してプリンター１０５あるいは外部Ｉ／Ｆ１０６へ送られる。
【００４４】
システムコントローラ１０９は，判定結果を入力すると，判定結果に基づいて以下の禁止処理および特殊原稿情報の付加処理を実行する。先ず，画像データを内部のプリンター１０５へ出力する場合，判定結果が特殊原稿である（Ｔ）ならば，その時点で出力を停止（禁止）する。具体的には，プリンター１０５へ出力する画像データ（ここでは，２５６階調とする）の内容を全て「０」または「２５５」にしたり，あるいはプリンター１０５の駆動をストップさせたりする。また，画像データを外部機器へ出力する場合には，外部Ｉ／Ｆ１０６に特殊原稿情報の付加処理を実行させる。
【００４５】
ここで，外部Ｉ／Ｆ１０６における特殊原稿情報の付加処理の方法について説明する。画像データは，主走査同期信号（ＬＳＹＮＣ）と副走査同期信号（ＦＧＡＴＥＢ）および画素クロック（ＣＬＫ）によって同期をとって出力される。近年の高解像度のカラー画像データは４００ｄｐｉ，３００ｄｐｉ，２４０ｄｐｉ程度の解像度を持ち，Ｒ，Ｇ，ＢまたはＹ，Ｍ，Ｃ，Ｋ各８ビット（２５６階調）で表現されている。そこで，この最下位ビットを特殊原稿情報用の情報ビットとする。ただし，データが１５以下，すなわち上位４ビットが０の場合には，最下位ビットに情報を入れるとノイズ成分が大きくなるので，データが１６以上の場合にのみ情報ビットとして使用するものとする。
【００４６】
また，ここでは８ビットで説明するが，６ビット程度以上であれば同様に情報ビットとして使用することができる。また，それ以外の場合は専用の情報ビットを１ビット追加してもさほどコスト的には問題にならないので，あらたに１ビット付加するものとする。
【００４７】
さて，外部Ｉ／Ｆ１０６は，主走査方向のデータを１ドットずつ追っていき，１６以上のデータの時の最下位ビットをメモリ（図示せず）に保存する。１６以上のデータが８個以上になったときデータのサンプリングを終了する。１ラインの中で，１６以上のデータを持つ画素が７個以下の場合には，そのラインに対して特殊原稿情報は付加しない。
【００４８】
８ビットのデータがサンプリングされたのに，次からの１６以上のデータに対して，システムコントローラ１０９の指示に従って判定結果が（Ｔ）のとき，順次最下位ビットのみを上記のメモリ内容で書き換えていく。８個のデータを書き換えたら，再び１ビット目のデータへの書き換えから始める。また，判定結果が（Ｆ）のときは，最下位ビットのみを上記のメモリ内容を反転したデータに書き換える。
【００４９】
また，判定結果が（Ｎ）のときは，上記のメモリ内容である始めの１６以上の８ドット（画素）分の最下位ビット８ビットのうち，どこか１ビットまたは数ビットを反転させる。ここで，どのビットを反転させるかによって特殊原稿らしさ（例えば，類似度の値）に対応した情報を付加することもできる。また，あらかじめどのビットを反転させるかを決めておき，それ以外のビットが反転されていた場合には，情報が正しく付加されていないか，故意に歪められた（改変された）データであると判断することもできる。なお，６ビット以上のデータに対して最下位ビットのみの書き換えであるので画像としてはさほど問題にならず，出力画像においてはノイズ程度と判断される。
【００５０】
一方，外部Ｉ／Ｆ１０６において，画像データを圧縮（符号化）して外部機器に出力する場合，一般に多値画像の圧縮として用いられているＡＤＣＴ変換等は不可逆変換であるので，上記のように画像データの最下位ビットを情報ビットとして使用する方法では特殊原稿情報が保存されない。したがって，この場合には，画像データをＡＤＣＴで圧縮する際に，ＤＣ成分信号の最下位ビットを用いて特殊原稿情報を付加する。ＣＤ成分の符号化は可逆式の方法で，情報の付加後に行なうか，あるいは符号化しなくても良い。ただし，この場合は８×８×８の画素毎の情報となる。
【００５１】
次に，外部Ｉ／Ｆ１０２における特殊原稿情報の読取処理の方法について説明する。画像データに上記したように特殊原稿情報が付加されている場合で，かつ，画像データが符号化されていない場合には，各ライン毎に始めの１６以上の８ドットの最下位ビットをメモリにサンプリングし，その後の１６以上の各ドットに対して最下位ビットを照合（チェック）していく。どこかで異なるデータがあった場合は，その部分が特殊原稿の画像であることがわかる。
【００５２】
また，符号化されたデータが外部より入力された場合には，ＤＣ成分信号のみに対して特殊原稿情報のチェックを行なう。この特殊原稿情報はシステムコントローラ１０９に送られ，特殊原稿判定部１０４ａの判定結果と同様に扱われ，禁止制御が実行される。
【００５３】
このとき，画像に処理を加えた後で，外部に出力する場合は，各種画像処理が終了した後で，特殊原稿判定部１０４ａで特殊原稿であるか否かの判定を行い，外部Ｉ／Ｆ１０６で特殊原稿情報の付加を行なう。したがって，入力した画像データに付加されていた特殊原稿情報が（Ｔ）の場合でも，画像処理後の画像データが特殊原稿でなくなった場合には，特殊原稿判定部１０４ａで（Ｎ）と判定され，外部Ｉ／Ｆ１０６で特殊原稿情報として（Ｎ）が付加されて出力される。また，同様に入力した画像データに付加されていた特殊原稿情報が（Ｎ）の場合でも，画像処理後の画像データが特殊原稿となった場合には，特殊原稿判定部１０４ａで（Ｔ）と判定され，外部Ｉ／Ｆ１０６で特殊原稿情報として（Ｔ）が付加されて出力される。さらに外部Ｉ／Ｆ１０２は，特殊原稿情報が正しく付加されていない場合（または付加されていない場合）には，ＤＣ成分を０にする等の処理を施して復号化を行なう。
【００５４】
システムコントローラ１０９は，常に入力した画像データに対して，判定結果が（Ｔ），（Ｆ），（Ｎ）の何れであるかをチェックし，（Ｔ）のときは画像の正常出力を妨げる処理を行なう。また，（Ｎ）の状態の連続性を計数し，あらかじめ定めた所定回数Ｃに達したときから（Ｆ）の状態が認識されるまで，画像の正常出力を停止する。
【００５５】
また，システムコントローラ１０９は，（Ｎ）の状態が認識されたら，操作者に暗証コードの入力を促し，操作部１０８を介して暗証コードが入力されたら，あらかじめ保持してある暗証コードと照合し，正しければ画像データを出力する。ここで，暗証コードが一定時間入力されなかった場合や，暗証コードが入力されても照合して一致しなかった場合は，画像データを破棄し，装置の各部を初期状態に戻す。
【００５６】
また，ここで，画像データを破棄する前に再度暗証コードの入力を促して，再度照合しても良い。
【００５７】
さらに，あらかじめ暗証コードを複数保持して，使用者毎にあるいは使用者の部門毎に使用者コードとして割り振り，使用者コードを上記同様に入力させ，照合するようにしても良い。これにより，万が一特殊原稿の画像が悪用された場合でも，より限定した使用者管理によって原因の追求が容易となる。
【００５８】
また，図２（ａ）〜（ｃ）に示すように，スキャナー１０１の圧板（原稿押さえ板）部分にロック機構を設けることにより，スキャナー１０１より入力された画像データが特殊原稿である（Ｔ）と判定された場合に，システムコントローラ１０９でロック機構を制御して，原稿の取り出しが行なえないようにすることにより，特殊原稿の複写を抑制する効果を奏することができる。
【００５９】
また，システムコントローラ１０９は，画像データの入力が，スキャナー１０１または外部Ｉ／Ｆ１０２に関わらず，特殊原稿である（Ｔ）と判定されたときおよび何方とも言えない（Ｎ）ときに，該当する画像データを内部メモリ（図示せず）に保持する。また，同時にその時の判定日時・画像処理内容等を処理状況として内部メモリ（図示せず）に保持しても良い。これによって，入力した画像データ自体を特定または推定することが可能となる。
【００６０】
なお，上記内部メモリへ画像データを保持する場合，メモリ容量の低減を考慮して，画像データを圧縮して記憶したり，あるいは判定に重要な一部分のみを記憶する方法でも良い。
【００６１】
前述したように本実施例は，特殊原稿であるか否かの判定を行い，その判定結果を特殊原稿情報として出力する画像データに付加するので，実際に記録紙に出力せずに，外部Ｉ／Ｆ１０６を介して画像データのみを受け渡す場合でも，特殊原稿の複写・偽造を防止することができる。
【００６２】
また，外部Ｉ／Ｆ１０２を介して入力した画像データに特殊原稿情報が付加されていない場合には，正常処理（正常な復号化）ができないようにするので，外部機器から画像データを入力して正常な画像を得たい場合には，常に特殊原稿情報が付加された状態にできる。
【００６３】
また，各種画像処理によって特殊原稿であるか否かが変化した場合でも，常に出力する画像データに対する適切な判定結果を得ることができ，また，特殊原稿情報として付加することができる。
【００６４】
また，特殊原稿であるか否かの判定において，何方とも言えない状態の場合でも，何れとも言えない（Ｎ）の状態が連続した場合に特殊原稿である（Ｔ）場合と同様に禁止処理を実行するので，特殊原稿と言えない場合でも精度良く複写・偽造を防止できる。
【００６５】
また，暗証コード，使用者コードによって使用者を管理し，限定された使用者以外に対しては特殊原稿であるか否かの判定を厳しくすることができる。
【００６６】
また，ロック機構で，原稿の取り出しを禁止するので，特殊原稿の複写・偽造行為が行なわれた際に，行為の発生時点で装置を特定することができる。
【００６７】
また，特殊原稿である（Ｔ）と判定された場合および何方とも言えない（Ｎ）の場合に，該当する画像データを保持するので，後で容易に特殊原稿を確認することができる。
【００６８】
また，特殊原稿である（Ｔ）と判定された場合および何方とも言えない（Ｎ）の場合に，その時の判定日時・画像処理内容等を処理状況として保持するので，複写・偽造行為の状況を明確にすることができる。
【００７０】
【発明の効果】
以上説明したように，本発明の画像処理装置（請求項１）は，スキャナーまたは外部機器から画像データを入力し，入力した画像データに各種画像処理を施して出力する画像処理装置において，前記入力した画像データが符号化された画像データである場合に，画像データを復号化する復号化手段と，前記各種画像処理を施した後の画像データを符号化する符号化手段と，前記入力した画像データが，紙幣・有価証券等の複写が禁止された特殊原稿であるか否かを判定する特殊原稿判定手段と，前記符号化後の画像データに前記特殊原稿判定手段の判定結果を示す特殊原稿情報を付加する情報付加手段と，を備え，前記復号化手段は，前記入力した画像データが符号化された画像データで，かつ，前記特殊原稿情報が付加されていない場合には，正常な復号化を行なわないため，外部機器で処理する目的等の場合，特殊原稿となり得るという情報を付加することによって出力を許可することができる。また，入力した画像データに特殊原稿情報が付加されていない場合には，正常な復号化ができないようにするので，外部機器から画像データを入力して正常な画像を得たい場合には，常に特殊原稿情報が付加された状態にできる。
【００７１】
また，本発明の画像処理装置（請求項２）は，特殊原稿判定手段が，入力した画像データに対してあらたな画像処理が指定された場合，指定された画像処理を施した後の画像データを用いて，特殊原稿であるか否かの判定を行い，情報付加手段が，特殊原稿判定手段から出力される最新の判定結果に基づいて，情報を付加するため，変倍・ミラーリング・斜体・色変換・ペイント等のように特定の変形・加工を施すことにより，特殊原稿となったり，特殊原稿でなくなる場合でも，特殊原稿であるか否かの判定を確実に行なうことができる。
【００７３】
また，本発明の画像処理装置（請求項３）は，スキャナーまたは外部機器から画像データを入力し，入力した画像データに各種画像処理を施して出力する画像処理装置において，あらかじめ暗証コードを記憶した記憶手段と，暗証コードを入力する入力手段と，前記入力した画像データと紙幣・有価証券等の複写が禁止された特殊原稿との類似度を算出し，前記類似度に基づいて，前記入力した画像データを，特殊原稿である，特殊原稿でない，何方とも言えないの３種類のいずれかに判定する特殊原稿判定手段と，前記暗証コードが入力されており，かつ，前記特殊原稿判定手段の判定結果が特殊原稿である場合に，画像処理動作の禁止または画像データの出力を禁止し，前記暗証コードが入力されておらず，かつ，前記特殊原稿判定手段の判定結果が特殊原稿である場合または何方ともいえないの状態が所定回数以上連続した場合に，画像処理動作の禁止または画像データの出力を禁止する禁止手段とを備えたため，特殊原稿と判定できないが，特殊原稿であると疑わしい類似した画像についても，類似した画像の出力が連続した場合に特殊原稿と同様に禁止処理を行なうことができる。また，暗証コードで使用者管理を行なって特殊原稿の認識の厳しさを切り換えることができると共に，特殊原稿と判定できないが，特殊原稿であると疑わしい類似した画像についても出力状況を管理することができる。
【００７４】
また，本発明の画像処理装置（請求項４）は，スキャナーまたは外部機器から画像データを入力し，入力した画像データに各種画像処理を施して出力する画像処理装置において，あらかじめ使用者毎に設定された使用者コードを記憶した記憶手段と，使用者コードを入力する入力手段と，前記入力した画像データと紙幣・有価証券等の複写が禁止された特殊原稿との類似度を算出し，前記類似度に基づいて，前記入力した画像データを，特殊原稿である，特殊原稿でない，何方とも言えないの３種類のいずれかに判定する特殊原稿判定手段と，前記使用者コードが入力されており，かつ，前記特殊原稿判定手段の判定結果が特殊原稿である場合に，画像処理動作の禁止または画像データの出力を禁止し，前記使用者コードが入力されておらず，かつ，前記特殊原稿判定手段の判定結果が特殊原稿である場合または何方ともいえないの状態が所定回数以上連続した場合に，画像処理動作の禁止または画像データの出力を禁止する禁止手段とを備えたため，特殊原稿と判定できないが，特殊原稿であると疑わしい類似した画像についても，類似した画像の出力が連続した場合に特殊原稿と同様に禁止処理を行なうことができる。また，使用者コードで使用者管理を行なって特殊原稿の認識の厳しさを切り換えることができると共に，特殊原稿と判定できないが，特殊原稿であると疑わしい類似した画像についても出力状況を管理することができる。
【００７５】
また，本発明の画像処理装置（請求項５）は，スキャナーが，原稿押さえ板および原稿押さえ板のロック機構を有し，禁止手段が，画像処理動作の禁止または画像データの出力を禁止すると共に，原稿押さえ板のロック機構をロックして原稿の取り出しを禁止するため，特殊原稿の複写・偽造行為が行なわれた際に，行為の発生時点で装置を特定することができる。
【００７８】
また，本発明の画像処理装置（請求項６）は，特殊原稿判定手段が，入力した画像データに対して，変倍・ミラーリング・斜体・色変換・ペイント等のように変形・加工を伴う画像処理が指定されている場合には，これらの画像処理を施した後の画像データを用いて，特殊原稿であるか否かの判定を行なうため，各種画像処理によって特殊原稿であるか否かが変化した場合でも，常に出力する画像データに対する適切な判定結果を得ることができる。
【図面の簡単な説明】
【図１】本実施例の外部インターフェイス付きのカラーデジタル複写機の構成図である。
【図２】本実施例のロック機構を示す説明図である。
【符号の説明】
１０１    スキャナー                １０２    外部Ｉ／Ｆ
１０３    セレクタ                  １０４    画像処理部
１０４ａ    特殊原稿判定部          １０５    プリンター
１０６    外部Ｉ／Ｆ                １０７    セレクタ
１０８    操作部                    １０９    システムコントローラ
【図１】
0003602581.tif 000002
【図２】
0003602581.tif 000003